(57)【要約】【課題】ブラシノズルや隙間ノズルなどの吸込具の着脱が不衛生であると共に、吸込具と延長管の着脱が必要で、使用性が悪いという課題があった。【解決手段】パイプ部材１９の下部略先端部に、ブラシ２１を植毛したブラシホルダー２２をパイプ部材１９に対して回動自在に枢支し、ブラシホルダー２２は、フックバネ２４によって一定の角度αを有した位置との間を回動自在に構成され、ブラシホルダー２２内面両側に形成したパイプ部材１９の外郭面両側に設けた被係合部Ａ２５に当接する係合部Ａ２６によってブラシホルダー２２がパイプ部材１９に対して一定の角度αを有した位置まで回動する。これにより、吸込具の使用、収納状態が延長管の着脱動作と吸込具の操作とに連動して行え、吸込具に触れることなく、衛生的で使用性に優れた吸込具を提供できる。【選択図】図３
2007021056.tif 000002
【特許請求の範囲】
【請求項１】
パイプ部材と、該パイプ部材の軸方向に対して回動自在で、かつ前記パイプ部材の外周又は一部に配設された吸口部材と、該吸口部材を前記パイプ部材の軸方向に対して回転方向に附勢する弾性体と、前記吸口部材の内面に係合部Ａを、前記パイプ部材の外面に係合部Ａと当接する被係合部Ａを形成するとともに、前記パイプ部材の軸方向に挿入した延長管などと係合する係止部、他端側に押釦を有する尾錠を有し、前記尾錠の上面側に突出する保持部Ａを形成するとともに前記保持部Ａに当接する被保持部Ａを吸口部材の内面に突出又はへこませて形成し、前記吸口部材がパイプ部材の軸方向に対して一定の角度を有して回動突出した位置にきた時に係合部Ａと被係合部Ａが当接することによって、前記吸口部材がパイプ部材の軸方向に対して一定の角度を有して回動突出した位置まで回動するとともに、前記吸口部材がパイプ部材の軸方向に対して略平行な位置にきた時に前記尾錠の保持部Ａと吸口部材の被保持部Ａが係合することによって吸口部材がパイプ部材の軸方向に対して略平行な位置に保持されることを特徴とする吸込具。
【請求項２】
パイプ部材と、該パイプ部材の軸方向に対して回動自在で、かつ前記パイプ部材の外周又は一部に配設された吸口部材と、該吸口部材を覆う収納カバー部材と、該吸口部材を前記パイプ部材の軸方向に対して回転方向に附勢する弾性体と、前記吸口部材の内面に係合部Ａを、前記パイプ部材の外面に係合部Ａと当接する被係合部Ａを有し、前記吸口部材の外面に係合部Ｂを、収納カバー部材の内面に係合部Ｂと当接する被係合部Ｂを形成するとともに、前記パイプ部材の軸方向に挿入した延長管などと係合する係止部、他端側に押釦を有する尾錠を有し、前記尾錠の上面側に突出する保持部Ａを形成するとともに、前記保持部Ａに当接する被保持部Ａを吸口部材の後部内面に突出又はへこませて形成し、前記吸口部材がパイプ部材の軸方向に対して一定の角度を有して回動突出した位置にきた時に係合部Ａと被係合部Ａが当接し、かつ係合部Ｂと被係合部Ｂが当接することによって前記吸口部材がパイプ部材の軸方向に対して一定の角度を有して回動突出した位置まで回動するとともに前記吸口部材がパイプ部材の軸方向に対して略平行な位置にきた時に前記尾錠の保持部Ａと吸口部材の被保持部Ａが係合することによって吸口部材がパイプ部材の軸方向に対して略平行な位置に保持して前記収納カバー部材内に収納されることを特徴とする吸込具。
【請求項３】
吸口部材の吸口先端部にブラシ、起毛布などからなる清掃軟質材を配設すると共に、前記吸口部材がパイプ部材の軸方向に対して略平行な位置にきたときに、前記清掃用軟質材が、前記パイプ部材の先端部より突出する構成とした請求項１または２記載の吸込具。
【請求項４】
吸引力を発生する電動送風機と前記電動送風機の吸気上流に配設され塵埃を捕集する集塵室を有する本体と、前記集塵室の吸気口部に接続される本体接続部を有するホースなどを有した電気掃除機本体に請求項１〜３のいずれか１項に記載の吸込具を接続した電気掃除機。
【発明の詳細な説明】
【技術分野】
【０００１】
本発明は、電気掃除機などの吸引装置に接続されて使用する吸込具およびそれを用いた電気掃除機に関するものである。
【背景技術】
【０００２】
従来のこの種の吸込具は、電気掃除機の集塵室と連通したホースとホースの先端に設けた先端パイプとこの先端パイプに接続される延長管、床用吸込具などを有した電気掃除機に、ブラシノズルや隙間ノズルとして前記先端パイプや延長管の先端に着脱自在に取付けられるものであった。その構成としては先端パイプや延長管の先端部などに設けた取付け部に回動自在・摺動自在・着脱自在に接続可能な形態が一般的であった（例えば、特許文献１、２、３、４参照）。
【特許文献１】特開２０００−０７０１８７号公報
【特許文献２】特開２０００−２７９３５２号公報
【特許文献３】特許第３２１３６０８号公報
【特許文献４】特許第３３４４１３６号公報
【発明の開示】
【発明が解決しようとする課題】
【０００３】
しかしながら、上記構成では、ブラシノズルや隙間ノズルなどの吸込具を先端パイプに装着する時には、まず、先端パイプから延長管を取り外した後、吸込具を握り収納場所から取り外し、または回動させて先端パイプに装着する必要があった。また、吸込具を先端パイプに対して正しい位置に装着しないと吸込具の吸込口が意図しない方向に向くため、使いにくいという欠点があり、位置決めのし易さが課題であった。さらには先端パイプから取り外す時には、上記とは逆に先端パイプから吸込具を握り吸込具を取り外してまたは回動させて収納場所に収納した後、先端パイプに延長管を装着する必要があり、吸込具と延長管の付け替えに汚れやすい吸込具を握らなくてはならず不衛生であるとともに、吸込具と延長管の着脱、吸込具の収納部からの着脱の３動作が必要であり、使用性が悪いという課題があった。また、吸込具の吸込口の角度が固定されている構成や、吸込具の吸込口の角度が可動できる構成でも手で角度調整する必要がある構成となっており、やはり、不衛生であるとともに使用性が悪いという課題がある。
【０００４】
他の従来の構成としても、吸込具を先端パイプなどの先端に回動あるいは摺動させて付け替え、収納ができるものがあり、先端パイプに対する吸込具の接続の位置決めは改善されてはいるが、やはり、吸込具と延長管の付け替えに汚れやすい吸込具を握らなくてはならず不衛生であるとともに、吸込具と延長管の着脱、吸込具の収納部からの着脱の３動作が必要であり、使用性が悪いという課題が残っている。また、延長管への吸込具の着脱においても同様に床用吸込具の着脱と吸込具の着脱が必要であった。
【０００５】
本発明は上記課題を解決するもので、吸込具と延長管などの付け替え時に吸込具に触れることなく、また、吸込具の収納が掃除作業の延長で行うことができる、衛生的で使用性に優れた吸込具を提供することを目的とするものである。
【課題を解決するための手段】
【０００６】
上記従来の課題を解決するために本発明は、パイプ部材と、該パイプ部材の軸方向に対して回動自在で、かつ前記パイプ部材の外周又は一部に配設された吸口部材と、該吸口部材を前記パイプ部材の軸方向に対して回転方向に附勢する弾性体と、前記吸口部材の内面に係合部Ａを、前記パイプ部材の外面に係合部Ａと当接する被係合部Ａを形成するとともに、前記パイプ部材の軸方向に挿入した延長管などと係合する係止部、他端側に押釦を有する尾錠を有し、前記尾錠の上面側に突出する保持部Ａを形成するとともに前記保持部Ａに当接する被保持部Ａを吸口部材の内面に突出又はへこませて形成し、前記吸口部材がパイプ部材の軸方向に対して一定の角度を有して回動突出した位置にきた時に係合部Ａと被係合部Ａが当接することによって、前記吸口部材がパイプ部材の軸方向に対して一定の角度を有して回動突出した位置まで回動するとともに、前記吸口部材がパイプ部材の軸方向に対して略平行な位置にきた時に前記尾錠の保持部Ａと吸口部材の被保持部Ａが係合することによって吸口部材がパイプ部材の軸方向に対して略平行な位置に保持される吸込具において、吸口部材をパイプ部材の軸方向に対して回転方向に附勢する弾性体により、常に吸口部材がパイプ部材の軸方向に対して一定の角度を有して回動突出した位置になるように附勢されているために尾錠の押釦を押してパイプ部材に接続した延長管などを取り外すと尾錠の保持部Ａが吸込部材の被保持部Ａが外れて弾性体の附勢力によって吸口部材が回動して吸込部材の係合部Ａがパイプ部材の被係合部Ａに当接するまで回動することにより、吸口部材がパイプ部材の軸方向に対して一定の角度を有して回動突出した位置となり、そのまま直ぐに吸込具として塵埃の吸込みが行え、使い勝手が非常に良いものである。また、パイプ部材に延長管などを取付ける時には、吸口部材をパイプ部材の軸方向に対して略平行な位置に保持させて延長管などを挿入して接続する。つまり、吸口部材がパイプ部材の軸方向に対して一定の角度を有して回動突出した位置から吸込部材を床面などに接地させた状態でパイプ部材を回動させて吸込部材の被保持部Ａが尾錠の保持部Ａに係合することにより、吸口部材をパイプ部材の軸方向に対して略平行な位置に保持させた状態で保持できるものである。
【０００７】
したがって、吸込具の使用状態、収納状態が延長管の着脱動作と掃除動作とに連動して行うことができ、吸込具に触れることなく、衛生的で使用性に優れた吸込具を提供することを目的とするものである。
【発明の効果】
【０００８】
本発明は吸込具の使用状態、収納状態の選択が延長管などの着脱動作と掃除操作の延長によって行え、着脱動作が少なく、また、吸込具に触れることがないため、衛生的で使用性に優れた吸込具を提供することができる。
【０００９】
また、使用時における吸込具の吸込口の角度は、附勢手段による附勢力によって被掃除面側に附勢されているので、使用時のパイプ部材の角度によって吸口部材の吸込口角度は追随が可能であり、従来の構成のように吸込口の角度を気にすることなく、手軽に使用でき、操作性が向上するとともに被掃除面への吸込口の密着性が向上することにより集塵性能の向上が図れるものである。
【発明を実施するための最良の形態】
【００１０】
第１の発明はパイプ部材と、該パイプ部材の軸方向に対して回動自在で、かつ前記パイプ部材の外周又は一部に配設された吸口部材と、該吸口部材を前記パイプ部材の軸方向に対して回転方向に附勢する弾性体と、前記吸口部材の内面に係合部Ａを、前記パイプ部材の外面に係合部Ａと当接する被係合部Ａを形成するとともに、前記パイプ部材の軸方向に挿入した延長管などと係合する係止部、他端側に押釦を有する尾錠を有し、前記尾錠の上面側に突出する保持部Ａを形成するとともに前記保持部Ａに当接する被保持部Ａを吸口部材の内面に突出又はへこませて形成し、前記吸口部材がパイプ部材の軸方向に対して一定の角度を有して回動突出した位置にきた時に係合部Ａと被係合部Ａが当接することによって、前記吸口部材がパイプ部材の軸方向に対して一定の角度を有して回動突出した位置まで回動するとともに、前記吸口部材がパイプ部材の軸方向に対して略平行な位置にきた時に前記尾錠の保持部Ａと吸口部材の被保持部Ａが係合することによって吸口部材がパイプ部材の軸方向に対して略平行な位置に保持される吸込具を構成したもので、吸口部材をパイプ部材の軸方向に対して回転方向に附勢する弾性体により、常に吸口部材がパイプ部材の軸方向に対して一定の角度を有して回動突出した位置になるように附勢されているために尾錠の押釦を押してパイプ部材に接続した延長管などを取り外すと尾錠の保持部Ａが吸込部材の被保持部Ａが外れて弾性体の附勢力によって吸口部材が回動して吸込部材の係合部Ａがパイプ部材の被係合部Ａに当接するまで回動することにより、吸口部材がパイプ部材の軸方向に対して一定の角度を有して回動突出した位置となり、そのまま直ぐに吸込具として塵埃の吸込みが行え、使い勝手が非常に良いものである。また、パイプ部材に延長管などを取付ける時には、吸口部材をパイプ部材の軸方向に対して略平行な位置に保持させて延長管などを挿入して接続する。つまり、吸口部材がパイプ部材の軸方向に対して一定の角度を有して回動突出した位置から吸込部材を床面などに接地させた状態でパイプ部材を回動させて吸込部材の被保持部Ａが尾錠の保持部Ａに係合することにより、吸口部材をパイプ部材の軸方向に対して略平行な位置に保持させた状態で保持できるものである。
【００１１】
したがって、吸込具の使用状態、収納状態が延長管の着脱動作と掃除動作とに連動して行うことができ、吸込具に触れることなく、衛生的で使用性に優れた吸込具を提供することを目的とするものである。
【００１２】
また、使用時における吸込具の吸口部材の吸込口角度は、附勢手段による附勢力によって被掃除面側に附勢されているので、使用時のパイプ部材の角度によって吸込口の角度は追随が可能であり、従来の構成のように吸込口の角度を気にすることなく、手軽に使用でき操作性が向上するとともに被掃除面への吸込口の密着性が向上することにより、集塵性能の向上が図れるものである。
【００１３】
さらには、本吸込具は、延長管などと接続した状態で保持できることにより、収納場所を別に設ける必要もなく、吸込具を使いたい時に直ぐに使えるともに吸込具の紛失も防止できるものである。
【００１４】
第２の発明は、パイプ部材と、該パイプ部材の軸方向に対して回動自在で、かつ前記パイプ部材の外周又は一部に配設された吸口部材と、該吸口部材を覆う収納カバー部材と、該吸口部材を前記パイプ部材の軸方向に対して回転方向に附勢する弾性体と、前記吸口部材の内面に係合部Ａを、前記パイプ部材の外面に係合部Ａと当接する被係合部Ａを有し、前記吸口部材の外面に係合部Ｂを、収納カバー部材の内面に係合部Ｂと当接する被係合部Ｂを形成するとともに、前記パイプ部材の軸方向に挿入した延長管などと係合する係止部、他端側に押釦を有する尾錠を有し、前記尾錠の上面側に突出する保持部Ａを形成するとともに前記保持部Ａに当接する被保持部Ａを吸口部材の後部内面に突出又はへこませて形成し、前記吸口部材がパイプ部材の軸方向に対して一定の角度を有して回動突出した位置にきた時に係合部Ａと被係合部Ａが当接し、かつ係合部Ｂと被係合部Ｂが当接することによって前記吸口部材がパイプ部材の軸方向に対して一定の角度を有して回動突出した位置まで回動するとともに、前記吸口部材がパイプ部材の軸方向に対して略平行な位置にきた時に前記尾錠の保持部Ａと吸口部材の被保持部Ａが係合することによって吸口部材がパイプ部材の軸方向に対して略平行な位置に保持して前記収納カバー部材内に収納される構成にしたもので、吸口部材をパイプ部材の軸方向に対して回転方向に附勢する弾性体により、常に吸口部材がパイプ部材の軸方向に対して一定の角度を有して回動突出した位置になるように附勢されているために尾錠の押釦を押してパイプ部材に接続した延長管などを取り外すと尾錠の保持部Ａが吸込部材の被保持部Ａが外れて弾性体の附勢力によって吸口部材が回動して吸込部材の係合部Ａがパイプ部材の被係合部Ａに当接するまで回動するとともに吸込部材の係合部Ｂが収納カバー部材の被係合部Ｂに当接するまで回動することにより、吸口部材がパイプ部材の軸方向に対して一定の角度を有して回動突出した位置となり、そのまま直ぐに吸込具として塵埃の吸込みが行え、使い勝手が非常に良いとともに吸込部材が係合部Ａ、被係合部Ａ及び係合部Ｂ、収納カバー部材の被係合部Ｂの２箇所に当接して保持されるため吸込部材の位置規制が確実かつ強固に行え、吸込部材を回動する方向に力が加わっても吸込部材の位置規制が外れることなく、強度、耐久性及び使用性のさらなる向上が図れるものである。また、パイプ部材に延長管などを取付ける時には、吸口部材をパイプ部材の軸方向に対して略平行な位置に保持させて延長管などを挿入して接続する。つまり、吸口部材がパイプ部材の軸方向に対して一定の角度を有して回動突出した位置から吸込部材を床面などに接地させた状態でパイプ部材を回動させて吸込部材の被保持部Ａが尾錠の保持部Ａに係合することにより、吸口部材をパイプ部材の軸方向に対して略平行な位置に保持させた状態で保持できるものである。
【００１５】
したがって、吸込具の使用状態、収納状態が延長管の着脱動作と掃除動作とに連動して行うことができ、吸込具に触れることなく、衛生的で使用性に優れた吸込具を提供することを目的とするものである。また、使用時における吸込具の吸口部材の吸込口角度は、附勢手段による附勢力によって被掃除面側に附勢されているので、使用時のパイプ部材の角度によって吸込口の角度は追随が可能であり、従来の構成のように吸込口の角度を気にすることなく、手軽に使用でき操作性が向上するとともに被掃除面への吸込口の密着性が向上することにより、集塵性能の向上が図れるものである。
【００１６】
さらには、吸口部材をパイプ部材の軸方向に対して略平行な位置に保持させた時に吸込部材が収納カバー部材の中に収納されることにより、収納時に吸込部材に触れにくくなり、衛生的であるとともに見栄えが向上するものである。
【００１７】
第３の発明は、パイプ部材と該パイプ部材の軸方向に対して回動自在で、かつ前記パイプ部材の外周に配設された吸口部材と、該吸口部材を前記パイプ部材の軸方向に対して回転方向に附勢する弾性体と前記吸口部材がパイプ部材の軸方向に対して一定の角度を有して回動突出した位置まで回動する手段と吸口部材がパイプ部材の軸方向に対して略平行な位置に保持する手段を有し、前記吸口部材の吸口先端部にブラシ、起毛布などからなる清掃軟質材を配設すると共に、前記吸口部材がパイプ部材の軸方向に対して略平行な位置にきたときに、前記清掃用軟質材が、前記パイプ部材の先端部より突出する構成としたもので、吸込具による被掃除面への傷つきを防止するとともに被掃除面上の塵埃をブラシ・起毛布などからなる清掃用軟質材によって掻き出したり、拭いたりすることにより、さらなる使用性の向上と集塵性能の向上が図れるものである。また、吸込具を使用状態から床面側に押し付け過ぎた時や、誤って尾錠の保持部Ａと吸口部材の被保持部Ａとが係合して、吸口部材がパイプ部材の先端部の軸方向に対して略平行な位置に保持させてしまっても、被掃除面に直接パイプ部材の先端部が当たるのを防止し、被掃除面への傷つきを防止するとともに接続部であるパイプ部材の先端部の損傷を防止できるものである。
【００１８】
第４の発明は、吸引力を発生する電動送風機と前記電動送風機の吸気上流に配設され塵埃を捕集する集塵室を有する本体と、前記集塵室の吸気口部に接続される本体接続部を有するホースなどを有した電気掃除機本体に前記の吸込具を備えたもので、電気掃除機としての掃除範囲の拡大や使用性の向上、衛生的な掃除などが容易に行えるものである。
【００１９】
以下、本発明の実施の形態について、図面を参照しながら説明する。なお、この実施の形態によりこの発明が限定されるものではない。
【００２０】
（実施の形態１）
本発明の第１の実施の形態について、図１〜図９を用いて説明する。
【００２１】
１は前側に塵埃を集積する集塵袋２を配置した集塵室３、後方に塵埃吸引用のモーター４などを有する本体下であり、前部の集塵袋２上方を覆う蓋体５で集塵室３を形成するとともに後部にモーター４などを配置した上方を本体上６で覆い、電気掃除機本体（以下、本体という）７を構成している。８は一端に本体７前部に構成した集塵室３に連通し、モーター４の吸引力による吸込み通路を形成するフロントカバー９の吸気口１０に接続する接続パイプ１１を有するとともに他端に使用時に握って操作する把手１２を形成し、また、延長管１３などを接続する先端パイプ１４を有するホースである。床面の塵埃を効率的に捕集する床用吸込具１５を延長管１３の先端に着脱自在に接続して用いる。１６は本体７を持ち運びする時に握るサゲテであり、１７は本体下１の前部底面に配設したキャスターローラー（図示せず）とともに使用時に本体７を移動させるローラーであり、本体下１の後部両側面に配設されている。
【００２２】
先端パイプ１４の先端には延長管１３を取り外した時に使用できる吸込具１８を着脱自在に構成している。前記吸込具１８は、パイプ部材１９の略先端下部に位置した回転軸２０によって一端にブラシ２１を植毛した吸口部材としてのブラシホルダー２２をパイプ部材１９に対して回動自在に枢支し、前記ブラシホルダー２２は、パイプ部材１９の外郭上方の位置とブラシホルダー２２の他端をパイプ部材１９の接続部Ａ２３に連通させて連通部２２Ａを形成し、パイプ部材１９に対してブラシ２２が一定の角度αを有した位置との間を回動自在に構成している。２４は、ブラシホルダー２２をパイプ部材１９の接続部Ａ２３に対して回動突出させて一定の角度αを有する方向に附勢するフックバネであり、パイプ部材１９の下部に外郭両側に設けた被係合部Ａ２５とブラシホルダー２２の内面両側に設けた係合部Ａ２６が当接することによってブラシホルダー２２の回動角度を規制している。この時、フックバネ２４の附勢力（弾性力）はブラシ２１の弾性力と同等もしくは小さく設定している。また、角度αを略６０°に設定していることにより、ブラシ２１と被掃除面の角度は略３０°となり、先端パイプ１４の把手１２と略平行になっている。２９は延長管１３をパイプ部材１９に接続した時に一端に設けた凸部Ａ３０が延長管１３の凹部Ａ３１に係合し、延長管１３を保持、固定する尾錠Ａであり、前記尾錠Ａ２９は他端に指で押さえる釦Ａ３２を形成するとともに軸Ａ３３によって回動自在に構成され、かつ、釦Ａ３２近傍に圧縮バネＡ３４を配置し、圧縮バネＡ３４によって常に釦Ａ３２を上方に附勢、つまり、凸部Ａ３０を下方に附勢し、延長管１３の凹部Ａ３１に係合させる方向に力を加えている。また、前記尾錠Ａ２９は軸Ａ３３と釦３２Ａの間に上方に突出した保持部Ａ３５を形成し、ブラシホルダー２２の連通部２２Ａ側に形成した被保持部Ａ３６に係合して図８に示すようにブラシホルダー２２をパイプ部材１９の上方に保持、固定する。３７、３８はブラシホルダー２２がパイプ部材１９上方に位置した時に覆うように収納する収納カバー部材としての外郭右、外郭左であり、ネジＡ３９、ネジＢ４０によってパイプ部材１９に固定されている。また、外郭右３７、外郭左３８の先端略外周部には、エラストマー、軟質塩化ビニル、ゴム、起毛布などの軟質材を材料とするバンパー４１が突出代Ａを有してパイプ部材１９より突出して配設されており、パイプ部材１９による床面などへの傷付きを防止している。ブラシホルダー２２がパイプ部材１９上方に位置した時に外郭右３７、外郭左３８の先端部よりも突出代Ｂを有して若干、ブラシ２１先端部が突出した状態で保持されている。４２はブラシホルダー２２がパイプ部材１９との間に発生する隙間を覆ってブラシホルダー２２とともに連通部２２Ａを形成するカバー体であり、ブラシホルダー２２の回動中心と同軸で回動自在に構成され、ブラシホルダー２２の連通部２２Ａ側に形成された被保持部Ｂ４３、被係合部Ｃ４４と当接する係合部Ｃ４５を形成し、ブラシホルダー２２の回動とともに回動するとともに外郭面両側に設けた係合部Ｂ２７が外郭右３７、外郭左３８の内面にそれぞれ設けられた被係合部Ｂ３７’、３８’と当接してブラシホ��ダー２２が回動突出した時のカバー体４２の回動時の位置規制を行っている。また、外郭右３７、外郭左３８の尾錠Ａ２９配置面には、外郭右３７、外郭左３８に設けた溝部右４６、溝部左４７と係合するリブ４８を形成した外郭上４９を配設して、ネジ４０とともに外郭右３７、外郭左３８の上部の保持、固定を行っている。
【００２３】
先端パイプ１４と延長管１３の先端部にも吸込具１８のパイプ部材１９の接続部Ａ２３と同一形状の接続部Ｂ５０、Ｃ５１を構成し、尾錠Ａ２９と略同一の形状を有する尾錠Ｂ５２、Ｃ５３を配設し、凸部Ｂ５４、Ｃ５５、釦Ｂ５６、Ｃ５７、軸Ｂ５８、Ｃ５９、圧縮バネＢ６０、Ｃ６１を有している。吸込具１８のパイプ部材１９と床用吸込具１５の他端部には、前記接続部Ｂ５０、Ｃ５１に挿入し、接続される延長管１３の被接続部Ａ２８と同一形状の被接続部Ｂ６２、Ｃ６３を構成し、同様に凹部Ｂ６４、Ｃ６５を有し、前記尾錠Ｂ５２、Ｃ５３の凸部Ｂ５４、Ｃ５５と係合し、保持される。これにより、接続部がそれぞれ同一形状の接続部Ａ２３、Ｂ５０、Ｃ５１と被接続部Ａ２８、Ｂ６２、Ｃ６３を有することになり、先端パイプ１４、吸込具１８、延長管１３、床用吸込具１５がそれぞれ接続可能になっている。
【００２４】
また、６６は吸込具１８のパイプ部材１９の被接続部Ｂ６２に設けられた回転ブラシ（図示せず）を駆動させる駆動モーター（図示せず）を配設した床用吸込具１５への電源を供給する電源線に接続される凸端子Ａであり、延長管１３、床用吸込具１５の被接続部Ａ２８、Ｃ６３にも同一の凸端子Ｂ６７、Ｃ６８を配設し、吸込具１８のパイプ部材１９、先端パイプ１４、延長管１３の接続部Ａ２３、Ｂ５０、Ｃ５１に有した凹端子Ａ６９、Ｂ７０、Ｃ７１と電気接続される。７２、７３は把手１２前部に設けられたモーター４の運転、停止を行う運転スイッチ、停止スイッチである。また、７４はパイプ部材１９に配置した尾錠Ａ２９、凸端子Ａ６６、凹端子Ａ６９などを上方から覆い、パイプ部材１９との間に挟み込んで保持するパイプカバーである。
【００２５】
上記構成による作用は以下の通りである。
【００２６】
床面の掃除を行う時には、本体７の吸気口１０に接続パイプ１１を接続し、先端パイプ１４の接続部Ｂ５０にパイプ部材１９の被接続部Ｂ６２を、パイプ部材１９の接続部Ａ２３に延長管１３の被接続部Ａ２８を、延長管１３の接続部Ｃ５１に床用吸込具１５の被接続部Ｃ６３を接続して、先端パイプ１４の把手１２を握り、運転スイッチ７２を押してモーター４を起動させ、モーター４の吸引力によって床面上の塵埃を床用吸込具１５から吸込み、延長管１３、パイプ部材１９、先端パイプ１４、ホース８、接続パイプ１１、吸気口１０を介して本体７の集塵室３に配置した集塵袋２内に集塵していく。
【００２７】
次に、ソファーや壁際、カーテン、テーブル上、また、床用吸込具１５が入らない隙間の掃除の時には、床用吸込具１５とともに、延長管１３の被接続部Ａ２８をパイプ部材１９の接続部Ａ２３から外す。この時、尾錠Ａ２９の釦Ａ３２を押して延長管１３をパイプ部材１９から外すと図２、６、９に示すようにパイプ部材１９の先端に配置した吸込部材としてのブラシホルダー２２の被保持部Ａ３６と尾錠Ａ２９の保持部Ａ３５による係合が外れて、パイプ部材１９上方に位置していたブラシホルダー２２がフックバネ２４の附勢力によって接続部Ａ２３側に回動し、ブラシホルダー２２の係合部Ｃ４５にカバー体４２の被係合部Ｃ４４が当接することによってブラシホルダー２２の回動ととともにカバー体４２も回動する。この時外郭右３７、外郭左３８の被係合部Ｂ３７’、３８’にカバー体４２の係合部Ｂ２７が当接することによってカバー体４２の回動角度を規制するとともに、パイプ部材１９の被係合部Ａ２５にカバー体４２に係合部Ａ２６が当接してパイプ部材１９に対するブラシホルダー２２の回動角度を規制してブラシ２１がパイプ部材１９に対して一定の角度αを有した状態まで回動する。したがってこの状態ですぐ吸込具１８としてソファーや壁際などの掃除が可能になる。また、フックバネ２４による附勢力によってブラシ２１が常に被掃除面側に附勢されていることにより、被掃除面への密着性が良く、塵埃の除去が効率的に行えるとともに、先端パイプ１４に対する被掃除面の角度が変わってもブラシ２１面が被掃除面に接地した状態で回動することにより、把手１２の角度を変える必要がなく、使用性が向上し、かつ、掃除性能も向上するものである。
【００２８】
さらには、爪楊枝やボタン、小石などの重量のある塵埃がブラシ２１の通常の角度（本実施例でのα）で吸わなくても、先端パイプ１４を被掃除面に押し付けてブラシ２１の角度を変えて、ブラシ２１先端からパイプ部材１９の接続部Ａ２３の距離が短くなることにより、ブラシ２１部の真空圧が増大して吸込むことが可能となり、掃除実態にあった吸込み性の優れた吸込具１８を提供することができるものである。
【００２９】
また、ブラシホルダー２２がパイプ部材１９側に移動する方向に大きな力が加わっても外郭右３７、外郭左３８の先端略外周に軟質材で形成されたバンパー４１を配置しているので被掃除面への傷つきが防止できる。さらには、ブラシ２１が外郭右３７、外郭左３８内に収納された状態でブラシ２１先端部が外郭右３７、外郭左３８より突出していることにより、被掃除面への傷つきがより防止できるとともにその収納状態でもブラシ２１による簡単な掃除が可能であり、さらにはブラシ２１が外郭右３７、外郭左３８に突っかかって出てこないなどの不具合も防止できるものである。また、ブラシ２１の角度αを６０°に設定していることにより、ブラシ２１先端面が把手１２と略平行になり、自然な姿勢で把手１２が移動でき、楽に掃除が行える。
【００３０】
次に、ブラシ２１収納する時や、延長管１３をパイプ部材１９に接続する時には、ブラシ２１の弾性力がフックバネ２４の附勢力（弾性力）と同等以上に設定していることから、図９に示すようにブラシ２１を被掃除面に押し付け、先端パイプ１４をＣ方向に回転させ、ブラシホルダー２２を回動させることにより、被保持部Ａ３６が尾錠Ａ２９の保持部Ａ３５に係合して、ブラシホルダー２２がパイプ部材１９の上方に位置して保持され、外郭右３７、外郭左３８の中に容易に収納されてパイプ部材１９の接続部Ａ２３に延長管１３の被接続部Ａ２８が容易に挿入でき、図４、図５に示すように延長管１３に接続できるものである。さらには、ブラシホルダー２２が回動してパイプ部材１９の上方に位置した時に、外郭右３７、外郭左３８の中にブラシホルダー２２とカバー体４２とブラシ２１の大部分が収納されることにより、収納状態で汚れやすいブラシホルダー２２やブラシ２１などに触れにくく、また、見た目にも汚れが目立たないため、衛生的である。
【００３１】
また、ブラシホルダー２２が一定の角度αに位置した時にブラシホルダー２２とパイプ部材１９との間に発生する隙間を覆うカバー体４２を配設することにより、ブラシホルダー２２を大きくすること無く、パイプ部材１９との間に連通部２２Ａを形成することができ、ブラシホルダー２２の回動角度αを大きくして掃除範囲を拡大しても小型の吸込具１８が提供できる。
【００３２】
さらには、パイプ部材、吸込部材、カバー体、収納カバー部材間の回動に必要な隙間部に各係合部、被係合部を配置させることにより、吸込具の小型化を図るとともに各係合部、被係合部で吸込具にかかる外力を受けることができ、吸込具の剛性アップが図れ、強度、耐久性の向上が図れるものである。
【００３３】
したがってソファーや壁際などを掃除する時に使用する吸込具１８の取付け、取り外しをする必要がなく、また、塵埃を吸込んだ吸込具１８やブラシ２１に触れること無く、延長管１３の着脱動作や掃除動作と連動して吸込具１８の使用状態、収納状態が選択でき、使用性が著しく向上するとともに清潔で収納性に優れ、かつ、掃除性能の優れた吸込具１８を提供でき、多大な効用を得ることができるものである。
【００３４】
なお、本実施の形態では、ブラシ付きの吸込具で説明したが、尾錠Ａ２９によるブラシホルダー２２の収納時の保持が可能な構成であれば、ブラシ２１部に延長管１３の被接続部Ａ２８が挿入できる開口部を形成しなくても例えば吸込口先端を絞った隙間ノズル形態でも同様の効果が得られ、より簡単な構成が可能になることは言うまでも無い。
【００３５】
また、同様に延長管１３の先端に本発明の吸込具１８を配置しても同様の効果が得られることは言うまでも無い。
【００３６】
また、本発明の構成は本実施の形態に限定されるものでは無い。
【産業上の利用可能性】
【００３７】
以上のように、本発明にかかる吸込具は、先端パイプなどへの吸込具の着脱が吸込具に触れること無く、かつ、延長管の着脱における動作、掃除動作の中で容易に行えるとともに吸込具の収納も行え、衛生的で使用性の向上が図れるとともに掃除性能の向上が図れるので非常に有効である。
【図面の簡単な説明】
【００３８】
【図１】本発明の実施の形態１を示す電気掃除機の全体斜視図
【図２】同吸込具の使用状態における要部断面図
【図３】同吸込具の分解斜視図
【図４】同吸込具の延長管接続状態における要部断面図
【図５】同吸込具の延長管接続状態における要部斜視図
【図６】同吸込具の使用状態における要部側面図
【図７】同吸込具の収納状態における要部平面図
【図８】同吸込具の収納状態における要部断面図
【図９】同吸込具の使用状態における要部斜視図
【符号の説明】
【００３９】
１３    延長管
１４    先端パイプ
１８    吸込具
１９    パイプ部材
２０    回転軸
２１    ブラシ
２２    ブラシホルダー
２２Ａ  連通部
２３    接続部Ａ
２４    フックバネ
２５    被係合部Ａ
２６    係合部Ａ
２７    係合部Ｂ
２８    被接続部Ａ
２９    尾錠Ａ
３０    凸部Ａ
３１    凹部Ａ
３２    釦Ａ
３３    軸Ａ
３４    圧縮バネＡ
３５    保持部Ａ
３６    被保持部Ａ
３７    外郭右
３７’  被係合部Ｂ
３８    外郭左
３８’  被係合部Ｂ
３９    ネジＡ
４０    ネジＢ
４１    バンパー
４２    カバー体
４３    係合部Ｂ
４４    被係合部Ｃ
４５    係合部Ｃ
４６    溝部右
４７    溝部左
４８    リブ
４９    外郭上
【図１】
2007021056.tif 000003
【図２】
2007021056.tif 000004
【図３】
2007021056.tif 000005
【図４】
2007021056.tif 000006
【図５】
2007021056.tif 000007
【図６】
2007021056.tif 000008
【図７】
2007021056.tif 000009
【図８】
2007021056.tif 000010
【図９】
2007021056.tif 000011